(57)【要約】【課題】ドライバに対する光の影響を無くし、ちらつき等の無い良好な品質の画像を表示することができるドライバ搭載型の液晶表示素子を提供する。【解決手段】液晶層１６を挟んで対向し、対向面それぞれに複数の画素を形成する電極３，４が設けられた一対の透明基板１，２の一方に、他方の基板の外方に突出するドライバ搭載用張出部２ａ，２ｂを形成し、前記張出部２ａ，２ｂを形成した一方の基板２の他方の基板１側の面に、複数の画素以外の領域をマスクするための遮光膜６を、その一部を前記張出部２ａ，２ｂのドライバ搭載領域に対向させて設け、この遮光膜６のドライバ搭載領域に対応する部分の上に複数のドライバ接続端子１０ａ，１１ａ，１２ａ，１３ａを配列形成し、前記ドライバ搭載領域のドライバ接続端子形成面上に、一方の面に駆動回路が形成され、その面上に複数の端子電極２０，２２が配列形成された半導体集積回路素子からなるドライバ１９，２１を、その複数の端子電極２０，２２を前記複数のドライバ接続端子１０ａ，１１ａ，１２ａ，１３ａにそれぞれ接続して搭載する。【選択図】      図２
2005077475.tif 000002
【特許請求の範囲】
【請求項１】
液晶層を挟んで対向し、対向面それぞれに互いに対向する領域により複数の画素を形成する電極が設けられた一対の透明基板の一方に、他方の基板の外方に突出するドライバ搭載用張出部が形成され、前記張出部が形成された一方の基板の他方の基板側の面に、前記複数の画素以外の領域をマスクするための遮光膜が、その一部を前記張出部の少なくとも予め定めたドライバ搭載領域に対向させて設けられ、前記遮光膜の前記ドライバ搭載領域に対応する部分の上に複数のドライバ接続端子が配列形成されてなり、前記ドライバ搭載領域のドライバ接続端子形成面上に、一方の面に駆動回路が形成され、その面上に複数の端子電極が配列形成された半導体集積回路素子からなるドライバが、前記複数の端子電極を前記複数のドライバ接続端子にそれぞれ接続して搭載されることを特徴とする液晶表示素子。
【請求項２】
液晶層を挟んで対向し、対向面それぞれに互いに対向する領域により複数の画素を形成する電極が設けられた一対の透明基板の一方に、他方の基板の外方に突出するドライバ搭載用張出部が形成され、前記張出部の他方の基板側の面に、予め定めたドライバ搭載領域に対応させて複数のドライバ接続端子が配列形成されるとともに、前記張出部が形成された一方の基板の他方の基板側とは反対側に、偏光板が、その一部を少なくとも前記ドライバ搭載領域に対向させて配置されてなり、前記ドライバ搭載領域のドライバ接続端子形成面上に、一方の面に駆動回路が形成され、その面上に複数の端子電極が配列形成された半導体集積回路素子からなるドライバが、前記複数の端子電極を前記複数のドライバ接続端子にそれぞれ接続して搭載されることを特徴とする液晶表示素子。
【発明の詳細な説明】
【技術分野】
【０００１】
この発明は、ドライバ搭載型の液晶表示素子に関する。
【背景技術】
【０００２】
ドライバ搭載型液晶表示素子は、液晶層を挟んで対向し、対向面それぞれに互いに対向する領域により複数の画素を形成する電極が設けられた一対の透明基板の一方に、他方の基板の外方に突出するドライバ搭載用張出部を形成し、前記張出部の他方の基板側の面に、予め定めたドライバ搭載領域に対応させて複数のドライバ接続端子を配列形成した構成となっている（特許文献１参照）。
【０００３】
この液晶表示素子も搭載されるドライバは、一方の面に駆動回路が形成され、その面上に複数の端子電極が配列形成されたＬＳＩ等の半導体集積回路素子からなっており、前記ドライバ搭載領域のドライバ接続端子形成面上に、前記複数の端子電極を前記複数のドライバ接続端子にそれぞれ接続して搭載される。
【特許文献１】特開平６−０８５００４号公報
【発明の開示】
【発明が解決しようとする課題】
【０００４】
ところで、前記半導体集積回路素子からなるドライバは、その駆動回路形成面に強い光が当たると、前記駆動回路の動作が不安定になるおそれがある。
【０００５】
そして、従来のドライバ搭載型液晶表示素子は、ドライバ搭載用張出部を形成した一方の基板の他方の基板側とは反対側から入射した光が、前記張出部のドライバ搭載領域に搭載されたドライバの駆動回路形成面にも入射するため、前記ドライバにより複数の画素の電極間に印加される駆動電圧が変動し、表示にちらつき等を発生する。
【０００６】
この発明は、ドライバ搭載領域に搭載されたドライバに対する光の影響を無くし、ちらつき等の無い良好な品質の画像を表示することができるドライバ搭載型の液晶表示素子を提供することを目的としたものである。
【課題を解決するための手段】
【０００７】
この発明の液晶表示素子は、液晶層を挟んで対向し、対向面それぞれに互いに対向する領域により複数の画素を形成する電極が設けられた一対の透明基板の一方に、他方の基板の外方に突出するドライバ搭載用張出部が形成され、前記張出部が形成された一方の基板の他方の基板側の面に、前記複数の画素以外の領域をマスクするための遮光膜が、その一部を前記張出部の少なくとも予め定めたドライバ搭載領域に対向させて設けられ、前記遮光膜の前記ドライバ搭載領域に対応する部分の上に複数のドライバ接続端子が配列形成されてなり、前記ドライバ搭載領域のドライバ接続端子形成面上に、一方の面に駆動回路が形成され、その面上に複数の端子電極が配列形成された半導体集積回路素子からなるドライバが、前記複数の端子電極を前記複数のドライバ接続端子にそれぞれ接続して搭載されることを特徴とする。
【０００８】
また、この発明の他の液晶表示素子は、液晶層を挟んで対向し、対向面それぞれに互いに対向する領域により複数の画素を形成する電極が設けられた一対の透明基板の一方に、他方の基板の外方に突出するドライバ搭載用張出部が形成され、前記張出部の他方の基板側の面に、予め定めたドライバ搭載領域に対応させて複数のドライバ接続端子が配列形成されるとともに、前記張出部が形成された一方の基板の他方の基板側とは反対側に、偏光板が、その一部を少なくとも前記ドライバ搭載領域に対向させて配置されてなり、前記ドライバ搭載領域のドライバ接続端子形成面上に、一方の面に駆動回路が形成され、その面上に複数の端子電極が配列形成された半導体集積回路素子からなるドライバが、前記複数の端子電極を前記複数のドライバ接続端子にそれぞれ接続して搭載されることを特徴とする。
【発明の効果】
【０００９】
この発明の液晶表示素子は、ドライバ搭載用張出部が形成された一方の基板の他方の基板側の面に、複数の画素以外の領域をマスクするための遮光膜を設け、この遮光膜の一部を前記張出部の少なくともドライバ搭載領域に対向させているため、前記ドライバ搭載用張出部を形成した一方の基板の他方の基板側とは反対側から入射した光が、前記張出部のドライバ搭載領域に搭載されたドライバの駆動回路形成面に入射するのを、前記遮光膜により阻止することができ、したがって、前記ドライバ搭載領域に搭載されたドライバに対する光の影響を無くし、ちらつき等の無い良好な品質の画像を表示することができる。
【００１０】
しかも、この液晶表示素子は、前記複数の画素以外の領域をマスクするための遮光膜を利用して前記ドライバに対する光の影響を無くしたものであるため、この液晶表示素子を、その製造工程数を増加させることなく低コストに製造することができる。
【００１１】
また、この発明の他の液晶表示素子は、ドライバ搭載用張出部が形成された一方の基板の他方の基板側とは反対側に配置した偏光板の一部を前記ドライバ搭載用張出部の少なくともドライバ搭載領域に対向させているため、前記ドライバ搭載用張出部を形成した一方の基板の他方の基板側とは反対側から入射した光のうち、前記張出部のドライバ搭載領域に搭載されたドライバの駆動回路形成面に入射する光を前記偏光板により減衰させることができ、したがって、前記ドライバ搭載領域に搭載されたドライバに対する光の影響を無くし、ちらつき等の無い良好な品質の画像を表示することができる。
【００１２】
しかも、この液晶表示素子は、ドライバ搭載用張出部が形成された一方の基板の他方の基板側とは反対側に配置した偏光板を利用して前記ドライバに対する光の影響を無くしたものであるため、この液晶表示素子を、その製造工程数を増加させることなく低コストに製造することができる。
【発明を実施するための最良の形態】
【００１３】
（実施形態１）
図１〜図３はこの発明の第１の実施例を示しており、図１は液晶表示素子のドライバ搭載状態の平面図、図２及び図３は図１のII―II線及びIII―III線に沿う拡大断面図である。
【００１４】
この実施例の液晶表示素子は単純マトリックス型のものであり、図１〜図３のように、枠状のシール材１４を介して接合され、前記シール材１４で囲まれた領域に設けられた液晶層１６を挟んで対向する一対の透明基板１，２の対向面の一方に、行方向（画面の左右方向）に沿う複数の透明な走査電極３が互いに平行に設けられ、前記対向面の他方に、列方向（画面の上下方向）に沿う複数の透明な信号電極４が互いに平行に設けられ、これらの電極３，４が互いに対向する領域により、行方向及び列方向にマトリックス状に配列する複数の画素が形成されている。
【００１５】
なお、この実施例では、一対の基板１，２のうち、表示の観察側である前側（図２及び図３において上側）の基板（以下、前基板と言う）１に走査電極３を設け、観察側とは反対側である後側の基板（以下、後基板と言う）２に信号電極４を設けている。
【００１６】
また、前記一対の基板１，２の一方、例えば信号電極４が設けられた後基板２には、列方向の一端側と行方向の一端側とにそれぞれ、他方の前基板１の外方に突出するドライバ搭載用張出部２ａ，２ｂが形成されており、これらのドライバ搭載用張出部２ａ，２ｂのうち、列方向のドライバ搭載用張出部２ａの前基板１側の面に、この張出部２ａの予め定めたドライバ搭載領域に対応させて、前記ドライバ搭載領域に搭載される信号側ドライバ１９に接続される複数のドライバ接続端子１０ａ，１１ａが配列形成され、行方向のドライバ搭載用張出部２ｂの前基板１側の面に、この張出部２ｂの予め定めたドライバ搭載領域に対応させて、前記ドライバ搭載領域に搭載される走査側ドライバ２１に接続される複数のドライバ接続端子１２ａ，１３ａが配列形成されている。
【００１７】
なお、前記列方向のドライバ搭載用張出部２ａのドライバ搭載領域に配列形成された複数のドライバ接続端子１０ａ，１１ａのうち、前記信号側ドライバ１９の出力側に接続される複数の端子１０ａは、前記複数の信号電極４の一端からそれぞれ前記ドライバ搭載領域に導出された複数の信号電極リード配線１０の端部に形成され、前記信号側ドライバ１９の入力側に接続される複数の端子１１ａは、前記張出部２ａの端縁部から前記ドライバ搭載領域に導かれた複数の入力側配線１１の端部に形成されている。
【００１８】
また、前記前基板１に設けられた複数の走査電極３の一端は、前記枠状のシール材１４によるシール部内に延長されており、前記行方向のドライバ搭載用張出部２ｂのドライバ搭載領域に配列形成された複数のドライバ接続端子１２ａ，１３ａのうち、前記走査側ドライバ２１の出力側に接続される複数の端子１２ａは、前記シール部内の複数の走査電極３の延長端にそれぞれ対応する部分から前記ドライバ搭載領域に導出された複数の走査電極リード配線１２の端部に形成され、前記走査側ドライバ２１の入力側に接続される複数の端子１３ａは、前記張出部２ｂの端縁部から前記ドライバ搭載領域に導かれた複数の入力側配線１３の端部に形成されている。
【００１９】
そして、前記複数の走査電極３の延長端は、前記シール部内に各走査電極３の延長端にそれぞれ対向させて設けられた導電性クロス材１５を介して前記複数の走査電極リード配線１２に接続されている。
【００２０】
また、この液晶表示素子は、前記複数の画素にそれぞれ対応する複数の色、例えば赤、緑、青の３色のカラーフィルタ５Ｒ，５Ｇ，５Ｂを備えており、これらのカラーフィルタ５Ｒ，５Ｇ，５Ｂは、一対の基板１，２のいずれか一方、例えば後基板２の前基板１側の面（前基板１との対向面）に、各画素列にそれぞれ対向させてストライプ状に形成されている。
【００２１】
さらに、前記ドライバ搭載用張出部２ａ，２ｂが形成された後基板２の前基板１側の面には、前記複数の画素以外の領域をマスクするための遮光膜６が、その一部を前記張出部２ａ，２ｂの少なくともドライバ搭載領域にそれぞれ対向させて設けられている。
【００２２】
なお、この実施例では、前記赤、緑、青の３色のカラーフィルタ５Ｒ，５Ｇ，５Ｂを密に並べて形成し、これらのカラーフィルタ５Ｒ，５Ｇ，５Ｂの形成領域の周囲、つまり前記複数の画素がマトリックス状に配列している表示エリアの周囲に、前記表示エリアの外周から前記シール部の外周縁付近にわたって遮光膜６を設けるとともに、この遮光膜６を、前記列方向及び行方向のドライバ搭載用張出部２ａ，２ｂの略全域にそれぞれ延長させて形成している。
【００２３】
また、この実施例では、前記遮光膜６を前記カラーフィルタ５Ｒ，５Ｇ，５Ｂと略同じ膜厚の樹脂膜により形成し、前記カラーフィルタ５Ｒ，５Ｇ，５Ｂ及び遮光膜６を透明な保護絶縁膜７により覆っている。
【００２４】
そして、前記前基板１に設けられた複数の信号電極４とそのリード配線１０及び入力側配線１１とドライバ接続端子１０ａ，１１ａは、前記遮光膜６の上（保護絶縁膜７の上）が形成されている。
【００２５】
また、前記一対の基板１，２の対向面にはそれぞれ、前記電極３，４を覆って、前記表示エリアの全域に対応する配向膜８，９が設けられており、前記液晶層１６の液晶分子は、これらの配向膜８，９により前基板１及び後基板２の近傍における配向方向を規定され、予め定められた初期配向状態（例えばツイスト配向状態または非ツイストのホモジニアス配向状態等）に配向している。
【００２６】
さらに、前記前基板１の後基板２側とは反対側の面と、前記後基板２の前基板１側とは反対側の面にはそれぞれ、偏光板１７，１８が、それぞれの透過軸を予め定めた方向に合わせて配置されている。
【００２７】
一方、前記信号側ドライバ１９と走査側ドライバ２１はそれぞれ、一方の面に駆動回路（図示せず）が形成され、その面上に複数の端子電極２０，２２が配列形成されたＬＳＩ等の半導体集積回路素子からなっており、これらのドライバ１９，２１は、前記ドライバ搭載用張出部２ａ，２ｂのドライバ搭載領域のドライバ接続端子形成面上に、前記複数の端子電極２０，２２を前記複数のドライバ接続端子１０ａ，１１ａ及び１２ａ，１３ａにそれぞれ、ダイレクトボンデイングまたは異方導電性接着剤により接続して搭載される。
【００２８】
このように、この実施例の液晶表示素子は、液晶層１６を挟んで対向し、対向面それぞれに互いに対向する領域により複数の画素を形成する電極３，４が設けられた一対の透明基板１，２のうち、一方の基板、例えば観察側とは反対側の後基板２に、他方の基板、つまり観察側の前基板１の外方に突出するドライバ搭載用張出部２ａ，２ｂを形成し、前記張出部２ａ，２ｂを形成した後基板２の前基板１側の面に、前記複数の画素以外の領域をマスクするための遮光膜６を、その一部を前記張出部２ａ，２ｂの少なくとも予め定めたドライバ搭載領域に対向させて設け、前記遮光膜６の前記ドライバ搭載領域に対応する部分の上に複数のドライバ接続端子１０ａ，１１ａ及び１２ａ，１３ａを配列形成したものであり、前記ドライバ搭載領域のドライバ接続端子形成面上に、一方の面に駆動回路が形成され、その面上に複数の端子電極２０，２２が配列形成された半導体集積回路素子からなる信号側及び走査側ドライバ１９，２１が、前記複数の端子電極２０，２２を前記複数のドライバ接続端子１０ａ，１１ａ及び１２ａ，１３ａにそれぞれ接続して搭載される。
【００２９】
この液晶表示素子によれば、前記ドライバ搭載領域に搭載された信号側及び走査側ドライバ１９，２１に対する光の影響を無くし、ちらつき等の無い良好な品質の画像を表示することができる。
【００３０】
すなわち、この液晶表示素子は、その表示の観察側とは反対側（後側偏光板１８の背後）に面光源を配置した透過型液晶表示装置、前記観察側とは反対側に反射板を配置した反射型液晶表示装置、あるいは、前記観察側とは反対側に光反射機能を有する面光源を配置した反射／透過型液晶表示装置に用いられるものであり、例えば透過型液晶表示装置の場合は、前記面光源からの照明光が前記液晶表示素子の表示エリアだけでなく、ドライバ搭載用張出部２ａ，２ｂにも入射する。
【００３１】
しかし、前記液晶表示素子は、ドライバ搭載用張出部２ａ，２ｂが形成された後基板２の前基板１側の面に、複数の画素以外の領域をマスクするための遮光膜６を設け、この遮光膜６の一部を前記張出部２ａ，２ｂの少なくともドライバ搭載領域に対向させて設け、前記遮光膜６の前記ドライバ搭載領域に対応する部分の上に複数のドライバ接続端子１０ａ，１１ａ及び１２ａ，１３ａを配列形成しているため、前記ドライバ搭載用張出部２ａ，２ｂを形成した後基板２の前基板１側とは反対側から入射した光（面光源からの照明光）が、前記張出部２ａ，３ｂのドライバ搭載領域に搭載されたドライバ１９，２１の駆動回路形成面に入射するのを前記遮光膜６により阻止することができ、したがって、前記面光源からの照明光の影響により前記ドライバ１９，２１の動作が不安定になることは無い。
【００３２】
また、前記透過型液晶表示装置では、前記液晶表示素子の観察側から入射した外光（外部環境の光）が前記ドライバ１９，２１にその駆動回路形成面とは反対面側から入射することがあるが、前記半導体集積回路素子からなるドライバ１９，２１は、その駆動回路形成面とは反対面側から入射する光の影響はほとんど受けないため、前記外光の影響により前記ドライバ１９，２１の動作が不安定になることも無い。
【００３３】
そのため、この前記液晶表示素子によれば、前記ドライバ搭載用張出部２ａ，２ｂのドライバ搭載領域に搭載されたドライバ１９，２１に対する光の影響を無くし、ちらつき等の無い良好な品質の画像を表示することができる。
【００３４】
これは、前記反射型または反射／透過型の液晶表示装置においても同様であり、前記液晶表示素子は、観察側とその反対側のいずれの側から入射した光も、前記ドライバ搭載用張出部２ａ，２ｂのドライバ搭載領域に搭載されたドライバ１９，２１の動作に影響しないため、ちらつき等の無い良好な品質の画像を表示することができる。
【００３５】
しかも、この液晶表示素子は、前記複数の画素以外の領域をマスクするための遮光膜６を利用して前記ドライバ１９，２１に対する光の影響を無くしたものであるため、この液晶表示素子を、その製造工程数を増加させることなく低コストに製造することができる。
【００３６】
なお、上記実施例では、ドライバ搭載用張出部２ａ，２ｂを形成した後基板２にカラーフィルタ５Ｒ，５Ｇ，５Ｂと遮光膜６を設けているが、カラーフィルタ５Ｒ，５Ｇ，５Ｂは、他方の前基板１に設けてもよい。
【００３７】
また、上記実施例では、観察側とは反対側の後基板２にドライバ搭載用張出部２ａ，２ｂを形成しているが、ドライバ搭載用張出部は、観察側の前基板１に形成してもよく、その場合は、前基板１の後基板２側の面に、複数の画素以外の領域をマスクするための遮光膜を、その一部を前記張出部の少なくとも予め定めたドライバ搭載領域に対向させて設け、この遮光膜の前記ドライバ搭載領域に対応する部分の上に複数のドライバ接続端子を配列形成すればよい。
【００３８】
さらに、上記実施例の液晶表示素子は、観察側とその反対側との両方に偏光板１７，１８を配置したものであるが、反射型液晶表示装置に用いる液晶表示素子の場合は、観察側だけに、偏光子と検光子とを兼ねる１枚の偏光板を配置してもよい。
【００３９】
（実施形態２）
図４はこの発明の第２の実施例を示す液晶表示素子の一部分（図１のII―II線に沿う部分）の断面図である。
【００４０】
この実施例の液晶表示素子は、その一対の偏光板１７，１８のうち、ドライバ搭載用張出部２ａ，２ｂを形成した後基板２の前基板１側とは反対側の後側偏光板１８を、その一部を前記ドライバ搭載用張出部２ａ，２ｂの少なくともドライバ搭載領域に対向させて配置し、遮光膜６は、複数の画素がマトリックス状に配列している表示エリアの周囲だけに、前記表示エリアの外周から枠状シール材１４によるシール部の外周縁付近にわたって設けたものであり、他の構成は上述した第１の実施例の液晶表示素子と同じである。
【００４１】
なお、この実施例では、前記後側偏光板１８として、前記後基板２のドライバ搭載用張出部２ａ，２ｂを含む略全域に対向する面積の偏光板を用いている。
【００４２】
また、この実施例では、前記後基板２の前基板１側の面にカラーフィルタ５Ｒ，５Ｇ，５Ｂと前記遮光膜６とを覆って設けられた保護絶縁膜７を、前記後基板２のドライバ搭載用張出部２ａ，２ｂの略全域にそれぞれ延長させて形成し、この保護絶縁膜７の延長部の上に、複数の信号電極４のリード配線１０及び入力側配線１１とドライバ接続端子１０ａ，１１ａを形成している。
【００４３】
このように、この実施例の液晶表示素子は、液晶層１６を挟んで対向し、対向面それぞれに互いに対向する領域により複数の画素を形成する電極３，４が設けられた一対の透明基板１，２のうち、一方の基板、例えば観察側とは反対側の後基板２に、他方の基板、つまり観察側の前基板１の外方に突出するドライバ搭載用張出部２ａ，２ｂを形成し、前記張出部２ａ，２ｂの前基板１側の面に、予め定めたドライバ搭載領域に対応させて複数のドライバ接続端子１０ａ，１１ａ及び１２ａ，１３ａを配列形成するとともに、前記張出部２ａ，２ｂを形成した後基板２の前基板１側とは反対側の偏光板１８を、その一部を前記ドライバ搭載用張出部２ａ，２ｂの少なくともドライバ搭載領域に対向させて配置したものであり、前記ドライバ搭載領域のドライバ接続端子形成面上に、一方の面に駆動回路が形成され、その面上に複数の端子電極２０，２２が配列形成された半導体集積回路素子からなる信号側及び走査側ドライバ１９，２１が、前記複数の端子電極２０，２２を前記複数のドライバ接続端子１０ａ，１１ａ及び１２ａ，１３ａにそれぞれ接続して搭載される。
【００４４】
この液晶表示素子によれば、前記ドライバ搭載領域に搭載された信号側及び走査側ドライバ１９，２１に対する光の影響を無くし、ちらつき等の無い良好な品質の画像を表示することができる。
【００４５】
すなわち、この液晶表示素子を、例えば観察側とは反対側に面光源を配置した透過型液晶表示装置に用いた場合、前記面光源からの照明光が前記液晶表示素子の表示エリアだけでなく、ドライバ搭載用張出部２ａ，２ｂにも入射するが、この液晶表示素子は、ドライバ搭載用張出部２ａ，２ｂが形成された後基板２の前基板１側とは反対側に配置した後側偏光板１８の一部を前記ドライバ搭載用張出部２ａ，２ｂの少なくともドライバ搭載領域に対向させているため、前記後基板２の前基板１側とは反対側から入射した光の互いに直交する２つの直線偏光成分のうち、前記後側偏光板１８の吸収軸に平行な一方の直線偏光成分が、前記偏光板１８により吸収される。
【００４６】
そのため、前記ドライバ１９，２１の駆動回路形成面に入射する光は、前記面光源からの照明光に対して光強度が１／２程度に減衰した光であり、したがって、前記面光源からの照明光の影響により前記ドライバ１９，２１の動作が不安定になることは無い。
【００４７】
また、前記半導体集積回路素子からなるドライバ１９，２１は、上述したように、その駆動回路形成面とは反対面側から入射する光の影響はほとんど受けないため、前記液晶表示素子の観察側から入射した外光の影響により前記ドライバ１９，２１の動作が不安定になることも無い。
【００４８】
したがって、この前記液晶表示素子によれば、前記ドライバ搭載用張出部２ａ，２ｂのドライバ搭載領域に搭載されたドライバ１９，２１に対する光の影響を無くし、ちらつき等の無い良好な品質の画像を表示することができる。
【００４９】
これは、反射型または反射／透過型の液晶表示装置においても同様であり、前記液晶表示素子は、観察側とその反対側のいずれの側から入射した光も、前記ドライバ搭載用張出部２ａ，２ｂのドライバ搭載領域に搭載されたドライバ１９，２１の動作に影響しないため、ちらつき等の無い良好な品質の画像を表示することができる。
【００５０】
しかも、この液晶表示素子は、ドライバ搭載用張出部２ａ，２ｂが形成された後基板２の前基板１側とは反対側に配置した後側偏光板１８を利用して前記ドライバ１９，２１に対する光の影響を無くしたものであるため、この液晶表示素子を、その製造工程数を増加させることなく低コストに製造することができる。
【００５１】
なお、上記実施例では、観察側とは反対側の後基板２にドライバ搭載用張出部２ａ，２ｂを形成しているが、ドライバ搭載用張出部は、観察側の前基板１に形成してもよく、その場合は、前基板１の後基板２側とは反対側に配置した前側偏光板１７の一部を前記ドライバ搭載用張出部２ａ，２ｂの少なくともドライバ搭載領域に対向させればよい。
【００５２】
さらに、上記実施例の液晶表示素子は、観察側とその反対側との両方に偏光板１７，１８を配置したものであるが、反射型液晶表示装置に用いる液晶表示素子の場合は、観察側だけに、偏光子と検光子とを兼ねる１枚の偏光板を配置してもよく、その場合は、観察側の前基板１にドライバ搭載用張出部を形成し、この前基板１の後基板２側とは反対側に、偏光子と検光子とを兼ねる１枚の偏光板を、その一部を前記ドライバ搭載用張出部の少なくともドライバ搭載領域に対向させて配置すればよい。
【００５３】
また、上述した第１及び第２の実施例の液晶表示素子は単純マトリックス型のものであるが、この発明は、例えばＴＦＴ（薄膜トランジスタ）をアクティブ素子とするアクティブマトリックス型液晶表示素子等にも適用することができる。
【図面の簡単な説明】
【００５４】
【図１】この発明の第１の実施例を示す液晶表示素子の正面図。
【図２】図１のII―II線に沿う拡大断面図。
【図３】図１のIII―III線に沿う拡大断面図。
【図４】この発明の第２の実施例を示す液晶表示素子の一部分の断面図。
【符号の説明】
【００５５】
１，２…基板、２ａ，２ｂ…ドライバ搭載用張出部、３，４…電極、５Ｒ，５Ｇ，５Ｂ…カラーフィルタ、６…遮光膜、７…保護絶縁膜、１０ａ，１１ａ，１２ａ，１３ａ…ドライバ接続端子、１６…液晶層、１７，１８…偏光板、１９，２１…ドライバ、２０，２１…端子電極。
【図１】
2005077475.tif 000003
【図２】
2005077475.tif 000004
【図３】
2005077475.tif 000005
【図４】
2005077475.tif 000006